(57)【特許請求の範囲】
【請求項１】
ピックアップによってディスクから読み取った画像データをデコード後、動画圧縮された状態で第１の記憶部に一旦格納した後、その第１の記憶部から順次読み出してその後の信号再生系に出力するように構成された画像ディスク再生装置において、
前記第１の記憶部に上書きされない別の領域を用意し、
再生動作の停止時に画面上に表示する静止画像を設定するための設定手段と、
ディスクに記録されている画像データの再生時に前記設定手段によって設定操作が行われると、その設定操作に基づいて前記第１の記憶部に格納されている１画面分の画像データを同じ第１の記憶部の上書きされない前記別の領域に保存する画像データ保存手段と、
再生動作の停止時、前記第１の記憶部の別の領域に保存されている１画面分の画像データを読み出してその後の信号再生系に出力する画像データ出力制御手段とを備えたことを特徴とする画像ディスク再生装置。
【請求項２】
ピックアップによってディスクから読み取った画像データをデコード後、動画圧縮された状態で第１の記憶部に一旦格納し、次にその第１の記憶部から順次読み出してデコード後、画像データを伸長した状態で第２の記憶部に一旦格納し、その後第２の記憶部から順次読み出してその後の信号再生系に出力するように構成された画像ディスク再生装置において、
前記第２の記憶部に上書きされない別の領域を用意し、
再生動作の停止時に画面上に表示する静止画像を設定するための設定手段と、
ディスクに記録されている画像データの再生時に前記設定手段によって設定操作が行われると、その設定操作に基づいて前記第２の記憶部に格納されている１画面分の画像データを同じ第２の記憶部の上書きされない前記別の領域に保存する画像データ保存手段と、
再生動作の停止時、前記第２の記憶部の別の領域に保存されている１画面分の画像データを読み出してその後の信号再生系に出力する画像データ出力制御手段とを備えたことを特徴とする画像ディスク再生装置。
【請求項３】
再生動作の停止時に画面上に表示するために予め用意されている１画面分の画像データ又は前記設定手段によって任意に設定された１画面分の画像データのいずれかを選択する選択手段を備え、前記画像データ出力制御手段は、再生動作の停止時、前記選択手段によって選択されたいずれかの画像データを読み出してその後の信号再生系に出力することを特徴とする請求項１又は２に記載の画像ディスク再生装置。
【発明の詳細な説明】
【０００１】
【発明の属する技術分野】
本発明は、再生動作の停止時に画面上に固有の静止画像を表示する画像ディスク再生装置に関し、最近のＤＶＤ（ｄｉｇｉｔａｌ  ｖｉｄｅｏ  ｄｉｓｃ）やＶＣＤ（ｖｉｄｅｏ  ｃｏｍｐａｃｔ  ｄｉｓｃ）、ＤＶ（ｄｉｇｉｔａｌ  ｖｉｄｅｏ）などに代表されるデジタル映像再生機器に利用される。
【０００２】
【従来の技術】
従来より、ＤＶＤやＶＣＤ、ＤＶといった画像ディスク再生装置においては、再生動作の停止時（すなわち、非動作状態において）、予め用意されている静止画像を画面上に表示する、いわゆる壁紙機能を有している。この機能の最も簡易なものはブルーバックであるが、一般的にはメーカの宣伝用の静止画像が表示されるようになっている。いずれにしても、従来の画像ディスク再生装置では、装置が固有に持つ静止画像のみしか表示できない。
【０００３】
一方、静止画像を表示させるものとして、例えば特開平８−８４３２０号公報に記載のビデオディスク再生装置（これを従来技術１という）や特開平８−２０３２２０号公報に記載の圧縮画像ディスク再生装置（これを従来技術２という）などがある。
【０００４】
従来技術１の装置は、フレーム間内挿処理用のフレームメモリをフリーズするフリーズ制御回路を備え、特殊再生時には、伝送コントロール信号にスチル情報を付加したＭＵＳＥ信号をＭＵＳＥデコーダに導いてフリーズ動作を制御する構成となっている。すなわち、ハイビジョンＶＤＰの特殊再生時において、特殊再生用のフレームメモリを追加することなく、ＭＵＳＥデコーダに本来備えられているフレーム間内挿用のフレームメモリを利用することによってスチル等の特殊再生機能を実現したものである。
【０００５】
また、従来技術２の装置は、ＶＣＤのビットスリームの一部に傷等による読み取りエラーが起こっても、起こる直前の画像を静止画表示することによって、ビットストリームエラーによる見苦しい表示を回避する構成となっている。
【０００６】
【発明が解決しようとする課題】
このように、従来より静止画像を画面上に表示させる装置は種々提案されているが、これらはメモリの削減やビットストリームエラーによる見苦しい画面表示の回避等を目的とするものであり、再生動作の停止時に静止画像を壁紙のように画面表示するものではない。また、従来の圧縮画像ディスク再生装置では、装置が固有に持つ静止画像のみしか表示できないため、使用者の好みに合わせた静止画像を表させることができないといった問題があった。
本発明はこのような問題点を解決すべく創案されたものであって、その目的は、使用者の好みに合わせて静止画像が設定できるようにした画像ディスク再生装置を提供することにある。
【０００７】
【課題を解決するための手段】
上記課題を解決するため、本発明の画像ディスク再生装置は、ピックアップによってディスクから読み取った画像データをデコード後、動画圧縮された状態で第１の記憶部に一旦格納した後、その第１の記憶部から順次読み出してその後の信号再生系に出力するように構成された画像ディスク再生装置において、前記第１の記憶部に上書きされない別の領域を用意し、再生動作の停止時に画面上に表示する静止画像を設定するための設定手段と、ディスクに記録されている画像データの再生時に前記設定手段によって設定操作が行われると、その設定操作に基づいて前記第１の記憶部に格納されている１画面分の画像データを同じ第１の記憶部の上書きされない前記別の領域に保存する画像データ保存手段と、再生動作の停止時、前記第１の記憶部の別の領域に保存されている１画面分の画像データを読み出してその後の信号再生系に出力する画像データ出力制御手段とを備えた構成とする。
【０００８】
また、本発明の画像ディスク再生装置は、ピックアップによってディスクから読み取った画像データをデコード後、動画圧縮された状態で第１の記憶部に一旦格納し、次にその第１の記憶部から順次読み出してデコード後、画像データを伸長した状態で第２の記憶部に一旦格納し、その後第２の記憶部から順次読み出してその後の信号再生系に出力するように構成された画像ディスク再生装置において、前記第２の記憶部に上書きされない別の領域を用意し、再生動作の停止時に画面上に表示する静止画像を設定するための設定手段と、ディスクに記録されている画像データの再生時に前記設定手段によって設定操作が行われると、その設定操作に基づいて前記第２の記憶部に格納されている１画面分の画像データを同じ第２の記憶部の上書きされない前記別の領域に保存する画像データ保存手段と、再生動作の停止時、前記第２の記憶部の別の領域に保存されている１画面分の画像データを読み出してその後の信号再生系に出力する画像データ出力制御手段とを備えた構成とする。
【００１２】
また、本発明の画像ディスク再生装置は、上記各構成において、再生動作の停止時に画面上に表示するために予め用意されている１画面分の画像データ又は前記設定手段によって任意に設定された１画面分の画像データのいずれかを選択する選択手段を備え、前記画像データ出力制御手段は、再生動作の停止時、前記選択手段によって選択されたいずれかの画像データを読み出してその後の信号再生系に出力するものである。
【００１３】
【発明の実施の形態】
以下、本発明の実施の形態について、図面を参照して説明する。
図１は、本発明の画像ディスク再生装置をＤＶＤのデジタル映像再生装置に適用した例を示す回路ブロック図である。
ディスクモータ２によって回転駆動されるディスク１から情報を検出するピックアップ３の出力は、ＲＦアンプ４を介して信号処理回路５とサーボ処理回路６とに導かれており、サーボ処理回路６の出力は信号処理回路５に導かれている。また、信号処理回路５には、ＲＦアンプ４によって増幅され、ＤＶＤ規格に従ってデコードされたデータ（ただし、ここではＭＰＥＧ（Ｍｏｔｉｏｎ  Ｐｉｃｔｕｒｅ  Ｅｘｐｅｒｔ  Ｇｒｏｕｐ  ）により圧縮されている）を一旦格納するトラックバッファＲＡＭ７が接続されている。これらＲＦアンプ４、信号処理回路５及びサーボ処理回路６は、フロントエンドＣＰＵ８によって制御される。
【００１４】
サーボ処理回路６は、フロントエンドＣＰＵ８から信号処理回路５を経由して送受信されるコマンドや制御データに従って、ピックアップ３に対するフォーカシングサーボやトラッキングサーボのサーボ制御を行うとともに、ピックアップ３全体をディスク１の半径方向に移動させるためのスレッドモータ９の制御や、ディスク１を装填する図示しないトレイを駆動するトレイモータ１０の制御を行う。なお、トレイに装填されたディスク１がＤＶＤである場合の再生信号は、ＲＦアンプ４を経由して信号処理回路５に入力され、トレイに装填されたディスク１がＣＤ−ＲＯＭである場合の再生信号は、ＲＦアンプ４からサーボ処理回路６を経由して信号処理回路５に入力される。信号処理回路５は、これらＤＶＤデータのデコード処理やＣＤ−ＲＯＭデータのデコード処理を行う。
【００１５】
また、信号処理回路５は、Ａ／Ｖ（Ａｕｄｉｏ／Ｖｉｄｅｏ  ）デコーダ１１に接続されており、Ａ／Ｖデコーダ１１の出力は、ビデオ出力端子１３ａ，１３ｂを有するビデオエンコーダ１３と、オーディオ出力端子１４ａを有するＤ／Ａコンバータ１４とに接続されている。Ａ／Ｖデコーダ１１は、トラックバッファＲＡＭ７から読み出されたＭＰＥＧにより圧縮されているデータを伸長する。また、Ａ／Ｖデコーダ１１には、伸長したデジタルのデータを数画面分格納するためのＡ／ＶデコードＲＡＭ１５が接続されている。
【００１６】
また、Ａ／Ｖデコーダ１１は、バックエンドＣＰＵ１６に接続されており、バックエンドＣＰＵ１６には、ワークＲＡＭ１７とフラッシュＲＯＭ１８とが接続されている。フラッシュＲＯＭ１８には、再生動作の停止時に、いわゆる壁紙的に画面上に表示するための静止画像データ（１画面分の画像データ）が予め格納されている。
また、バックエンドＣＰＵ１６には、ＬＣＤ等からなるフロントパネル２０の表示制御を行うフロントパネルコントローラ１９が接続されており、フロントパネルコントローラ１９には、キー入力部２１の出力が導かれている。また、フロントパネルコントローラ１９には、リモコン２２からの送信信号を受信する受信部（図示省略）が設けられている。
【００１７】
次に、上記構成の画像ディスク再生装置における再生時の動作について説明する。
ディスク１に記録されたデータはピックアップ３で検出され、ＲＦアンプ４で波形整形と増幅とが行われた後、信号処理回路５においてＤＶＤ規格に従いデコードされる。デコードされたデータは、ＭＰＥＧにより圧縮されている状態でトラックバッファＲＡＭ７に順次蓄えられ、バックエンドＣＰＵ１６からの読み出し要求を待つ。
【００１８】
そして、トラックバッファＲＡＭ７に蓄えられたデータは、バックエンドＣＰＵ１６からの読み出し要求に従って順次読み出され、Ａ／Ｖデコーダ１１に転送されて、ここでＭＰＥＧによる圧縮データの伸長が行われてビデオデータにデコードされる。デコードされたビデオデータは、Ａ／ＶデコードＲＡＭ１５に一旦蓄えられた後、再び読み出されてビデオエンコーダ１３に順次転送され、ここでアナログのビデオ信号に変換されてビデオ出力端子１３ａ，１３ｂから出力される。
【００１９】
一方、ＭＰＥＧにより圧縮されているオーディオデータについては、ビデオデータと同様にトラックバッファＲＡＭ７に順次蓄えられ、バックエンドＣＰＵ１６からの読み出し要求に従って順次読み出され、Ｄ／Ａコンバータ１４に転送されて、ここでＭＰＥＧによる圧縮データの伸長が行われてオーディオデータにデコードされる。デコートされたオーディオデータは、Ａ／ＶデコードＲＡＭ１５に一旦蓄えられた後、再び読み出されてＤ／Ａコンバータ１４に順次転送され、ここでアナログのオーディオ信号に変換されてオーディオ出力端子１４ａから出力される。
【００２０】
このような再生動作過程において、トラックバッファＲＡＭ７に蓄えられたデータは、バックエンドＣＰＵ１６からの読み出し要求に従って順次読み出されると、次のデータによって順次上書きされ、これを繰り返すことによって画像データを順次その後の信号再生系に出力するようになっている。また、Ａ／ＶデコードＲＡＭ１５についても同様であり、Ａ／ＶデコードＲＡＭ１５に蓄えられたデータは、バックエンドＣＰＵ１６からの読み出し要求に従って順次読み出されると、トラックバッファＲＡＭ７から読み出され転送されてきた次のデータによって順次上書きされ、これを繰り返すことによって画像データを順次その後の信号再生系に出力するようになっている。
【００２１】
また、このような画像データの再生動作中において、その再生動作を停止すると、フラッシュＲＯＭ１８に予め格納されている１画面分の画像データがバックエンドＣＰＵ１６によって読み出され、Ａ／Ｖデコーダ１１からビデオエンコーダ１３に転送されてアナログのビデオ信号に変換され、ビデオ出力端子１３ａ，１３ｂから出力される。これにより、再生動作の停止時には、画面上に所定の静止画像が表示されることになる。
【００２２】
このような構成の画像ディスク再生装置において、フラッシュＲＯＭ１８に格納されている１画面分の画像データは、メーカによって予め用意されている画像データであり、従来は使用者によって任意に変更できるものではなかった。
そこで、本発明では、このような再生動作の停止時に画面上に表示する静止画像を使用者自信の好みに応じて任意に設定できるようにしたものであり、以下にその具体例を説明する。
【００２３】
図２は、リモコン２２のキー配置の一例を示している。リモコン２２には、装置本体の電源をオン、オフする電源キー２２ａ、ディスク１の再生を指示するＰＬＡＹキー２２ｂ、再生動作を停止するＳＴＯＰキー２２ｃ、再生動作を一時停止するＰＡＵＳＥキー２２ｄの他、本発明に係わる設定キー２２ｅが設けられている。ただし、実際にはこれらのキーの他、各種再生モードキーやテンキー等も設けられているが、ここでは図示を省略している。設定キー２２ｅは、再生動作の停止時に、画面上に表示する静止画像を設定するためのキーである。なお、ここではリモコン２２に設定キー２２ｅを設けているが、装置本体のフロントパネル部分に取り付けられているキー入力部２１にこの設定キー２２ｅを設けてもよい。
【００２４】
また、使用者自信の設定による１画面分の画像データを格納する記憶領域としては、図１に示す構成の画像ディスク再生装置に新たな記憶部を追加するのではなく、既存の記憶部を利用する。本実施の形態では、トラックバッファＲＡＭ７、Ａ／ＶデコードＲＡＭ１５、ワークＲＡＭ１７、フラッシュＲＯＭ１８などの各記憶部の利用が可能である。以下、これらの記憶部に１画面分の画像データを記憶する場合と、記憶した１画面分の画像データを静止画像として表示する場合の具体的な処理動作について、それぞれ説明する。
【００２５】
（１）トラックバッファＲＡＭ７の所定の領域に１画面分の画像データを記憶する場合
上記したような画像データの再生動作中において、使用者は、画面上に好みの再生画像が表示されているときにリモコン２２の設定キー２２ｅを操作すると、この操作信号がフロントパネルコントローラ１９を経由してバックエンドＣＰＵ１６に入力される。バックエンドＣＰＵ１６は、この操作信号に基づき、その時点でトラックバッファＲＡＭ７に格納されている複数画面分の画像データのうち、例えばＡ／Ｖデコーダ１１への転送直前の１画面分の画像データを、内部に設けられた上書きされない所定の領域に保存する。これにより、その後も再生動作が継続され、トラックバッファＲＡＭ７の内容が順次上書きされても、所定の領域に保存された１画面分の画像データは、上書きされることなく残ることになる。
【００２６】
ただし、トラックバッファＲＡＭ７の所定の領域に保存された１画面分の画像データは、厳密には、使用者が設定キー２２ｅを操作したときに画面上に表示されている画像データと同じデータではなく、表示されている画像データより数画面分後の画像データである。しかしながら、実際に画面上に表示されている画像データとトラックバッファＲＡＭ７に格納されている画像データとの間で画面が切り換わっていない限り、画面上に表示されている画像データとトラックバッファＲＡＭ７の所定の領域に保存された１画面分の画像データとは類似したデータとなっているので、実用上ほとんど問題となることはない。
【００２７】
このようにして、使用者の好みに応じた１画面分の画像データをトラックバッファＲＡＭ７の所定の領域に保存した後、その後の再生動作中にリモコン２２のＳＴＯＰキー２２ｃが操作される等して再生動作が停止すると、この操作信号がフロントパネルコントローラ１９を経由してバックエンドＣＰＵ１６に入力される。バックエンドＣＰＵ１６は、この操作信号に基づき、動作停止を指示する制御信号をＡ／Ｖデコーダ１１から信号処理回路５を経由してフロントエンドＣＰＵ８に送信し、フロントエンドＣＰＵ８は、この制御信号に従って再生動作を停止する。これと同時に、バックエンドＣＰＵ１６は、トラックバッファＲＡＭ７の所定の領域に保存されている１画面分の画像データの読み出し指示をＡ／Ｖデコーダ１１を経由して信号処理回路５に送信する。信号処理回路５は、この指示信号に基づき、トラックバッファＲＡＭ７の所定の領域から１画面分の画像データを読み出し、Ａ／Ｖデコーダ１１からビデオエンコーダ１３に転送し、ここでアナログのビデオ信号に変換してビデオ出力端子１３ａ，１３ｂから出力する。これにより、画面上には、使用者の好みに応じて設定された静止画像が表示されることになる。
【００２８】
（２）Ａ／ＶデコードＲＡＭ１５の所定の領域に１画面分の画像データを記憶する場合
上記したような画像データの再生動作中において、使用者は、画面上に好みの再生画像が表示されているときにリモコン２２の設定キー２２ｅを操作すると、この操作信号がフロントパネルコントローラ１９を経由してバックエンドＣＰＵ１６に入力される。バックエンドＣＰＵ１６は、この操作信号に基づき、その時点でＡ／ＶデコードＲＡＭ１５に格納されている複数画面分の画像データのうち、例えば読み出し直前の１画面分の画像データを、内部に設けられた上書きされない所定の領域に保存する。これにより、その後も再生動作が継続され、Ａ／ＶデコードＲＡＭ１５の内容が順次上書きされても、所定の領域に保存された１画面分の画像データは、上書きされることなく残ることになる。
【００２９】
ただし、Ａ／ＶデコードＲＡＭ１５の所定の領域に保存された１画面分の画像データは、厳密には、使用者が設定キー２２ｅを操作したときに画面上に表示されている画像データと同じデータではなく、表示されている画像データより数画面分後の画像データである。しかしながら、実際に画面上に表示されている画像データとＡ／ＶデコードＲＡＭ１５に格納されている画像データとの間で画面が切り換わっていない限り、画面上に表示されている画像データとＡ／ＶデコードＲＡＭ１５の所定の領域に保存された１画面分の画像データとは類似したデータとなっているので、実用上ほとんど問題となることはない。
【００３０】
このようにして、使用者の好みに応じた１画面分の画像データをＡ／ＶデコードＲＡＭ１５の所定の領域に保存した後、その後の再生動作中にリモコン２２のＳＴＯＰキー２２ｃが操作される等して再生動作が停止すると、この操作信号がフロントパネルコントローラ１９を経由してバックエンドＣＰＵ１６に入力される。バックエンドＣＰＵ１６は、この操作信号に基づき、動作停止を指示する制御信号をＡ／Ｖデコーダ１１から信号処理回路５を経由してフロントエンドＣＰＵ８に送信し、フロントエンドＣＰＵ８は、この制御信号に従って再生動作を停止する。これと同時に、バックエンドＣＰＵ１６は、Ａ／ＶデコードＲＡＭ１５の所定の領域に保存されている１画面分の画像データの読み出し指示をＡ／Ｖデコーダ１１に送信する。Ａ／Ｖデコーダ１１は、この指示信号に基づき、Ａ／ＶデコードＲＡＭ１５の所定の領域から１画面分の画像データを読み出してビデオエンコーダ１３に転送し、ここでアナログのビデオ信号に変換してビデオ出力端子１３ａ，１３ｂから出力する。これにより、画面上には、使用者の好みに応じて設定された静止画像が表示されることになる。
【００３１】
（３）ワークＲＡＭ１７の所定の領域に１画面分の画像データを記憶する場合
上記したような画像データの再生動作中において、使用者は、画面上に好みの再生画像が表示されているときにリモコン２２の設定キー２２ｅを操作すると、この操作信号がフロントパネルコントローラ１９を経由してバックエンドＣＰＵ１６に入力される。バックエンドＣＰＵ１６は、この操作信号に基づき、その時点でトラックバッファＲＡＭ７に格納されている複数画面分の画像データのうち、Ａ／Ｖデコーダ１１に転送される１画面分の画像データを、Ａ／Ｖデコーダ１１及びバックエンドＣＰＵ１６を経由してワークＲＡＭ１７の内部に設けられた上書きされない所定の領域に保存する。
【００３２】
すなわち、この場合には、トラックバッファＲＡＭ７に格納されている１画面分の画像データか、Ａ／ＶデコードＲＡＭ１５に格納されている１画面分の画像データのいずれかをワークＲＡＭ１７に保存することができるが、Ａ／ＶデコードＲＡＭ１５に格納されている１画面分の画像データはデータ伸長されているのでデータ量が大きくなっている。そのため、本具体例では、データ量の少ない（ＭＰＥＧにより圧縮された状態の）トラックバッファＲＡＭ７に格納されている１画面分の画像データを、ワークＲＡＭ１７に保存する構成としている。
【００３３】
ただし、ワークＲＡＭ１７の所定の領域に保存された１画面分の画像データは、厳密には、使用者が設定キー２２ｅを操作したときに画面上に表示されている画像データと同じデータではなく、表示されている画像データより数画面分後の画像データである。しかしながら、実際に画面上に表示されている画像データとワークＲＡＭ１７に格納されている画像データとの間で画面が切り換わっていない限り、画面上に表示されている画像データとワークＲＡＭ１７の所定の領域に保存された１画面分の画像データとは類似したデータとなっているので、実用上ほとんど問題となることはない。
【００３４】
このようにして、使用者の好みに応じた１画面分の画像データをワークＲＡＭ１７の所定の領域に保存した後、その後の再生動作中にリモコン２２のＳＴＯＰキー２２ｃが操作される等して再生動作が停止すると、この操作信号がフロントパネルコントローラ１９を経由してバックエンドＣＰＵ１６に入力される。バックエンドＣＰＵ１６は、この操作信号に基づき、動作停止を指示する制御信号をＡ／Ｖデコーダ１１から信号処理回路５を経由してフロントエンドＣＰＵ８に送信し、フロントエンドＣＰＵ８は、この制御信号に従って再生動作を停止する。これと同時に、バックエンドＣＰＵ１６は、ワークＲＡＭ１７の所定の領域に保存されている１画面分の画像データを読み出してＡ／Ｖデコーダ１１に転送し、Ａ／Ｖデコーダ１１でＭＰＥＧにより圧縮されている画像データを伸長した後、ビデオエンコーダ１３に転送してアナログのビデオ信号に変換し、ビデオ出力端子１３ａ，１３ｂから出力する。これにより、画面上には、使用者の好みに応じて設定された静止画像が表示されることになる。
【００３５】
（４）フラッシュＲＯＭ１８の所定の領域に１画面分の画像データを記憶する場合
上記したような画像データの再生動作中において、使用者は、画面上に好みの再生画像が表示されているときにリモコン２２の設定キー２２ｅを操作すると、この操作信号がフロントパネルコントローラ１９を経由してバックエンドＣＰＵ１６に入力される。バックエンドＣＰＵ１６は、この操作信号に基づき、その時点でトラックバッファＲＡＭ７に格納されている複数画面分の画像データのうち、Ａ／Ｖデコーダ１１に転送される１画面分の画像データを、Ａ／Ｖデコーダ１１及びバックエンドＣＰＵ１６を経由してフラッシュＲＯＭ１８の内部に設けられた上書きされない所定の領域に保存する。この場合、フラッシュＲＯＭ１８にはメーカ側で予め用意された１画面分の画像データが格納されているので、これに上書きする形で保存してもよい。ただし、本具体例では、上書きしないで別の領域に保存するものとする。
【００３６】
すなわち、この場合には、トラックバッファＲＡＭ７に格納されている１画面分の画像データか、Ａ／ＶデコードＲＡＭ１５に格納されている１画面分の画像データのいずれかをフラッシュＲＯＭ１８に保存することができるが、Ａ／ＶデコードＲＡＭ１５に格納されている１画面分の画像データはデータ伸長されているのでデータ量が大きくなっている。そのため、本具体例では、データ量の少ない（ＭＰＥＧにより圧縮された状態の）トラックバッファＲＡＭ７に格納されている１画面分の画像データを、フラッシュＲＯＭ１８に保存する構成としている。
【００３７】
ただし、フラッシュＲＯＭ１８の所定の領域に保存された１画面分の画像データは、厳密には、使用者が設定キー２２ｅを操作したときに画面上に表示されている画像データと同じデータではなく、表示されている画像データより数画面分後の画像データである。しかしながら、実際に画面上に表示されている画像データとフラッシュＲＯＭ１８に格納されている画像データとの間で画面が切り換わっていない限り、画面上に表示されている画像データとフラッシュＲＯＭ１８の所定の領域に保存された１画面分の画像データとは類似したデータとなっているので、実用上ほとんど問題となることはない。また、本具体例では不揮発性メモリであるフラッシュＲＯＭ１８に画像データを保存しているので、例えば電源キー２２ａが操作されて電源がオフされたり、停電で突然電源がオフした場合でも、フラッシュＲＯＭ１８に保存された１画面分の画像データは消滅することがないといった利点がある。
【００３８】
このようにして、使用者の好みに応じた１画面分の画像データをフラッシュＲＯＭ１８の所定の領域に保存した後、その後の再生動作中にリモコン２２のＳＴＯＰキー２２ｃが操作される等して再生動作が停止すると、この操作信号がフロントパネルコントローラ１９を経由してバックエンドＣＰＵ１６に入力される。バックエンドＣＰＵ１６は、この操作信号に基づき、動作停止を指示する制御信号をＡ／Ｖデコーダ１１から信号処理回路５を経由してフロントエンドＣＰＵ８に送信し、フロントエンドＣＰＵ８は、この制御信号に従って再生動作を停止する。これと同時に、バックエンドＣＰＵ１６は、フラッシュＲＯＭ１８の所定の領域に保存されている１画面分の画像データを読み出してＡ／Ｖデコーダ１１に転送し、Ａ／Ｖデコーダ１１でＭＰＥＧにより圧縮されている画像データを伸長した後、ビデオエンコーダ１３に転送してアナログのビデオ信号に変換し、ビデオ出力端子１３ａ，１３ｂから出力する。これにより、画面上には、使用者の好みに応じて設定された静止画像が表示されることになる。
【００３９】
なお、上記した（１）〜（４）の具体例では、使用者が好みの画像データを設定した後（トラックバッファＲＡＭ７、Ａ／ＶデコードＲＡＭ１５、ワークＲＡＭ１７、フラッシュＲＯＭ１８のいずれかに保存した後）は、再生動作の停止時に、常に設定した画像データを静止画像として画面上に表示する構成としているが、例えば図３に示すように、リモコン２２に選択キー２２ｆを設けておき、この選択キー２２ｆを操作することによって、再生動作の停止時に、使用者が設定した画像データ、又はメーカ側で予め用意されているフラッシュＲＯＭ１８に格納されている画像データのいずれかを画面上に優先的に表示するように構成してもよい。つまり、バックエンドＣＰＵ１６は、選択キー２２ｆによっていずれが選択されているのかを認識しておき、再生動作の停止時にその選択内容に従っていずれかの画像データを読み出し、Ａ／Ｖデコーダ１１からビデオエンコーダ１３に転送するように構成すればよい。
【００４０】
【発明の効果】
本発明の画像ディスク再生装置は、本発明の画像ディスク再生装置は、ピックアップによってディスクから読み取った画像データをデコード後、動画圧縮された状態で第１の記憶部に一旦格納し、次にその第１の記憶部から順次読み出してデコード後、画像データを伸長した状態で第２の記憶部に一旦格納し、その後第２の記憶部から順次読み出してその後の信号再生系に出力するように構成された画像ディスク再生装置において、前記第１の記憶部または第２の記憶部に上書きされない別の領域を用意し、再生動作の停止時に画面上に表示する静止画像を設定するための設定手段と、ディスクに記録されている画像データの再生時に前記設定手段によって設定操作が行われると、その設定操作に基づいて前記第１の記憶部または第２の記憶部に格納されている１画面分の画像データを同じ第１の記憶部または第２の記憶部の上書きされない前記別の領域に保存する画像データ保存手段と、再生動作の停止時、前記第１の記憶部または第２の記憶部の別の領域に保存されている１画面分の画像データを読み出してその後の信号再生系に出力する画像データ出力制御手段とを備えた構成としたので、再生動作を停止したときに画面上に表示される静止画像を使用者の好みに応じて自由に設定することができるものである。また、記憶部として不揮発性メモリを用いれば、電源がオフされた場合でも記憶部に保存した１画面分の画像データは消滅することなく残るので、次に電源を立ち上げたときでも、前回保存した静止画像をそのまま画面上に表示することができるものである。また、予め用意されている１画面分の画像データ又は使用者によって任意に設定された１画面分の画像データのいずれかを選択する選択手段を備えることにより、使用者の使い勝手が向上するものである。
【図面の簡単な説明】
【図１】本発明の画像ディスク再生装置をＤＶＤのデジタル映像再生装置に適用した例を示す回路ブロック図である。
【図２】リモコンの一例を示す説明図である。
【図３】リモコンの他の例を示す説明図である。
【符号の説明】
１  ディスク（記録媒体）
５  信号処理回路
７  トラックバッファＲＡＭ
１１  Ａ／Ｖデコーダ
１５  Ａ／ＶデコードＲＡＭ
１６  バックエンドＣＰＵ（画像データ記憶手段、画像データ出力制御手段）
１７  ワークＲＡＭ
１８  フラッシュＲＯＭ
１９  フロントパネルコントローラ
２１  キー入力部
２２  リモコン
２２ｅ  設定キー
２２ｆ  選択キー
【図１】
0003593692.tif 000002
【図２】
0003593692.tif 000003
【図３】
0003593692.tif 000004